(57)【要約】【課題】比較的安価な二層構造の収容袋および収容袋製造方法を提供する。【解決手段】収容袋１０は、長方形の表シート１３と長方形の裏シート本体２４との二枚のシートが貼り合わさった二層構造であり、裏シート本体２４が、裏シート２５と剥離シート２６とに分割されている。表シート１３と裏シート２５とが袋状に形成されたことで収容部１１が形成され、表シート１３と剥離シート２６とで貼り付け部１２が形成されている。【選択図】図２
2020097431.tif 000002
【特許請求の範囲】
【請求項１】
被収容対象が収容される収容部と、被貼付対象に貼り付けられる貼り付け部とを有する収容袋であって、
前記収容部が、表シートと裏シートとの間に収容領域を有し、
前記裏シートに隣接した剥離シートが粘着層を介して前記表シートの裏面に貼り付けられたことで、前記貼り付け部が形成された、
ことを特徴とする収容袋。
【請求項２】
前記表シートが、収容部構成面部と、この収容部構成面部に連接した貼り付け部構成面部とを有し、
前記収容部構成面部における裏面の端部に備えられた接着部を介して、前記収容部構成面部と前記裏シートとが接着され、前記収容部構成面部における裏面の他の端部と前記裏シートとの間に開口部が形成され、
前記貼り付け部構成面部における裏面に備えられた前記粘着層を介して、前記貼り付け部構成面部に前記剥離シートが貼り付けられた、
ことを特徴とする請求項１に記載された収容袋。
【請求項３】
前記収容部構成面部における裏面の端部間に備えられた接着部を介して、前記収容部構成面部と前記裏シートとが接着されたことで、複数の前記収容領域を有する、
ことを特徴とする請求項２に記載された収容袋。
【請求項４】
バリア層を有しない前記剥離シートの表面に含浸した離型層を有する、
ことを特徴とする請求項１から請求項３のいずれか１項に記載された収容袋。
【請求項５】
前記表シートが透明である、
ことを特徴とする請求項１から請求項４のいずれか１項に記載された収容袋。
【請求項６】
前記貼り付け部が、前記収容部の開口部に隣接した、
ことを特徴とする請求項１から請求項５のいずれか１項に記載された収容袋。
【請求項７】
裏シート本体における表面の一端部または両端部に離型剤を塗布して乾燥させることで、離型層を形成する手順と、
前記離型層上に粘着剤を塗布して粘着層を形成する手順と、
前記裏シート本体における前記離型層を除いた端部に接着部を形成する手順と、
前記粘着層および前記接着部を介して前記裏シート本体に表シートを貼り合わせる手順と、
前記裏シート本体において前記粘着層と前記接着部との間を切断する手順と、を経る、
ことを特徴とする収容袋製造方法。
【請求項８】
前記接着部を形成する手順において、前記裏シート本体における前記離型層を除いた端部間に接着部を形成し、
前記粘着層および前記接着部を介して前記裏シート本体に表シートを貼り合わせる手順において、単一または複数の収容領域を形成する、
ことを特徴とする請求項７に記載された収容袋製造方法。
【請求項９】
前記粘着剤を塗布することで前記接着部を形成する、
ことを特徴とする請求項７または請求項８に記載された収容袋製造方法。
【請求項１０】
前記粘着層を形成する手順と、前記接着部を形成する手順とを同時に経る、
ことを特徴とする請求項７から請求項９のいずれか１項に記載された収容袋製造方法。
【請求項１１】
前記裏シート本体にバリア層を有しない紙を用い、
紫外線を照射することで前記離型剤を乾燥させる、
ことを特徴とする請求項７から請求項１０のいずれか１項に記載された収容袋製造方法。
【請求項１２】
前記粘着剤を乾燥させる手順を経ない、
ことを特徴とする請求項７から請求項１１のいずれか１項に記載された収容袋製造方法。
【発明の詳細な説明】
【技術分野】
【０００１】
本発明は、被収容対象を収容するための収容袋、および、収容袋製造方法に関するものである。
【背景技術】
【０００２】
従来、荷物を発送する際、例えば、内容物の納品明細書、請求書、案内文などを添付する場合、デリバリーパックが用いられている。このデリバリーパックは、納品明細書などが収容され、荷物の外装である箱の外面に貼り付けられる。デリバリーパックによれば、受取人は、開梱する前に納品明細書などを確認することができる。
【０００３】
一般的に、デリバリーパックは、例えば、ポリエチレンフィルム、ポリプロピレンフィルム、紙などのシートが二枚重ねられて袋状に形成され、裏面に粘着層を介して離型紙が貼り付けられている。製造者は、購入したタック紙またはタックフィルムの表面にシートを貼り付けてデリバリーパックを製造するか、または、離型紙を含めてタック紙またはタックフィルムを製造して表面にシートを貼り付けてデリバリーパックを製造する。後者の製造過程について付言すれば、ロール状の紙にシリコーンなどの離型剤が塗布され、熱風乾燥炉などを経て離型剤を乾燥させることで、離型紙が作製される。一般的に、離型紙には、離型剤が含浸し過ぎないよう、バリア層として予め樹脂が含浸されている目止め紙やグラシン紙などが用いられる。離型紙は、再びロール状に巻き取られて数日間のエージングを経る。離型紙に粘着剤が塗布され、熱風乾燥炉などを経て粘着剤の水分を乾燥させた後、粘着層にシートが貼り付けられてタック紙が作製される。タック紙の表面にシートが接着され、適当な製品の大きさに切断されて、デリバリーパックが完成する。
【０００４】
例えば、下記特許文献１に記載された袋は、二層のシートで形成された袋本体の裏面に接着層が形成され、この接着層に離型紙が貼り付けられている。すなわち、三層構造で袋が構成されている。
【先行技術文献】
【特許文献】
【０００５】
【特許文献１】登録実用新案第３１３０３２４号公報
【発明の概要】
【発明が解決しようとする課題】
【０００６】
しかし、上記したとおり、一般的なデリバリーパックも、特許文献１に記載された収納袋も、三層構造であることから、三層分の材料費を要する。
【０００７】
本発明は、上記の実情に鑑みて提案されたものである。すなわち、比較的安価な二層構造の収容袋および収容袋製造方法の提供を目的とする。
【課題を解決するための手段】
【０００８】
本発明に係る収容袋は、被収容対象が収容される収容部と、被貼付対象に貼り付けられる貼り付け部とを有する収容袋であって、前記収容部が、表シートと裏シートとの間に収容領域を有し、前記裏シートに隣接した剥離シートが粘着層を介して前記表シートの裏面に貼り付けられたことで、前記貼り付け部が形成された、ことを特徴とする。
【０００９】
本発明に係る収容袋は、上記の構成に加えて、前記表シートが、収容部構成面部と、この収容部構成面部に連接した貼り付け部構成面部とを有し、前記収容部構成面部における裏面の端部に備えられた接着部を介して、前記収容部構成面部と前記裏シートとが接着され、前記収容部構成面部における裏面の他の端部と前記裏シートとの間に開口部が形成され、前記貼り付け部構成面部における裏面に備えられた前記粘着層を介して、前記貼り付け部構成面部に前記剥離シートが貼り付けられた、ことを特徴とする。
【００１０】
本発明に係る収容袋は、上記の構成に加えて、前記収容部構成面部における裏面の端部間に備えられた接着部を介して、前記収容部構成面部と前記裏シートとが接着されたことで、複数の前記収容領域を有する、ことを特徴とする。
【００１１】
本発明に係る収容袋は、上記の構成に加えて、バリア層を有しない前記剥離シートの表面に含浸した離型層を有する、ことを特徴とする。
【００１２】
本発明に係る収容袋は、上記の構成に加えて、前記表シートが透明である、ことを特徴とする。
【００１３】
本発明に係る収容袋は、上記の構成に加えて、前記貼り付け部が、前記収容部の開口部に隣接した、ことを特徴とする。
【００１４】
本発明に係る収容袋製造方法は、裏シート本体における表面の一端部または両端部に離型剤を塗布して乾燥させることで、離型層を形成する手順と、前記離型層上に粘着剤を塗布して粘着層を形成する手順と、前記裏シート本体における前記離型層を除いた端部に接着部を形成する手順と、前記粘着層および前記接着部を介して前記裏シート本体に表シートを貼り合わせる手順と、前記裏シート本体において前記粘着層と前記接着部との間を切断する手順と、を経る、ことを特徴とする。
【００１５】
本発明に係る収容袋製造方法は、上記の構成に加えて、前記接着部を形成する手順において、前記裏シート本体における前記離型層を除いた端部間に接着部を形成し、前記粘着層および前記接着部を介して前記裏シート本体に表シートを貼り合わせる手順において、単一または複数の収容領域を形成する、ことを特徴とする。
【００１６】
本発明に係る収容袋製造方法は、上記の構成に加えて、前記粘着剤を塗布することで前記接着部を形成する、ことを特徴とする。
【００１７】
本発明に係る収容袋製造方法は、上記の構成に加えて、前記粘着層を形成する手順と、前記接着部を形成する手順とを同時に経る、ことを特徴とする。
【００１８】
本発明に係る収容袋製造方法は、上記の構成に加えて、前記裏シート本体にバリア層を有しない紙を用い、紫外線を照射することで前記離型剤を乾燥させる、ことを特徴とする。
【００１９】
本発明に係る収容袋製造方法は、上記の構成に加えて、前記粘着剤を乾燥させる手順を経ない、ことを特徴とする。
【発明の効果】
【００２０】
本発明に係る収容袋は、収容部が、表シートと裏シートとの間に収容領域を有し、裏シートに隣接した剥離シートが粘着層を介して表シートの裏面に貼り付けられたことで、貼り付け部が形成されている。すなわち、収容部が、表シートと裏シートとの二層構造であり、貼り付け部が、表シートと剥離シートとの二層構造であり、収容袋は全体として二層構造である。したがって、三層構造と比較して、材料費が安価である。
【００２１】
本発明に係る収容袋は、表シートが、収容部構成面部と、この収容部構成面部に連接した貼り付け部構成面部とを有し、収容部構成面部における裏面の端部に備えられた接着部を介して、収容部構成面部と裏シートとが接着され、収容部構成面部における裏面の他の端部と裏シートとの間に開口部が形成され、貼り付け部構成面部における裏面に備えられた粘着層を介して、貼り付け部構成面部に剥離シートが貼り付けられていてもよい。すなわち、収容袋は、表シートの収容部構成面部と裏シートとが重ねられ、表シートの貼り付け部構成面部と剥離シートとが重ねられた二層構造である。したがって、三層構造と比較して、材料費が安価である。
【００２２】
本発明に係る収容袋は、収容部構成面部における裏面の端部間に備えられた接着部を介して、収容部構成面部と裏シートとが接着されたことで、複数の収容領域を有することもできる。したがって、被収容対象を、複数の収容領域ごとに区別して収容することができる。この場合であっても、収容袋は全体として二層構造であるため、三層構造と比較して、材料費が安価である。
【００２３】
本発明に係る収容袋は、バリア層を有しない剥離シートの表面に、含浸した離型層を有することもできる。この場合、バリア層を有する剥離シートを用いるよりも安価な紙を剥離シートに用いることができる。
【００２４】
本発明に係る収容袋は、表シートが透明であってもよい。透明の素材は、一般的に紙製ではないため、紙製ではない表シートと紙製の裏シート本体とから収容袋を実現することができる。また、収容部に収容された被収容対象が、表シートを通して透けるため、外側から被収容対象を視認することができる。
【００２５】
本発明に係る収容袋は、貼り付け部を収容部の開口部に隣接するように配置すれば、開口部を貼り付け部で閉じることができる。
【００２６】
本発明に係る収容袋製造方法は、裏シート本体における表面の一端部または両端部に離型剤を塗布して乾燥させることで、離型層を形成する手順と、離型層上に粘着剤を塗布して粘着層を形成する手順と、裏シート本体における離型層を除いた端部に接着部を形成する手順と、粘着層および接着部を介して裏シート本体に表シートを貼り合わせる手順と、裏シート本体において粘着層と接着部との間を切断する手順と、を経る。裏シート本体は、粘着層と接着部との間が切断されることで、粘着層と貼り合わさった側が離型紙となるため、裏シート本体は切断される前において元々一枚のシートである。そのため、離型紙を裏シート本体と別に用意する必要がない。したがって、収容袋が、表シートと裏シート本体とで二層構造で実現し、三層構造と比較して、安価な材料費で収容袋を製造することができる。
【００２７】
本発明に係る収容袋製造方法は、接着部を形成する手順において、裏シート本体における離型層を除いた端部間に接着部を形成し、粘着層および接着部を介して裏シート本体に表シートを貼り合わせることにより、単一または複数の収容領域を形成することができる。したがって、被収容対象を複数の収容領域ごとに区別して収容することができる収容袋が、二層構造で実現し、三層構造と比較して、安価な材料費で収容袋を製造することができる。また、裏シート本体における離型層を除いた端部に加えて、この端部間にも同時に粘着剤が塗布されるため、高速で収容袋を製造することができる。
【００２８】
本発明に係る収容袋製造方法は、粘着剤を塗布することで接着部を形成することができる。この場合、粘着層を構成する粘着剤で、粘着層と接着部とを形成することができるため、接着剤を用いる場合と比較して材料を簡素化することができる。
【００２９】
本発明に係る収容袋製造方法は、粘着層を形成する手順と、接着部を形成する手順とを同時に経てもよい。この場合、粘着層と接着部とが同時に形成されるため、工程を簡略化することができる。
【００３０】
本発明に係る収容袋製造方法は、紫外線を照射することで乾燥する離型剤を用いることができる。この場合、離型剤が過度に含浸する前に紫外線で乾燥するため、バリア層を有しない安価な紙を用いることができる。また、離型剤が紫外線で瞬時に乾燥するため、離型剤を熱風乾燥炉で乾燥させる手順や、ロール状に巻き取って長時間エージングする必要がなく、一台の装置で一気に収容袋を製造することができる。
【００３１】
本発明に係る収容袋製造方法は、粘着層を乾燥させる手順を経なくてもよい。すなわち、バリア層を有しない裏シート本体を用いることで、従来必要としていた、溶媒を含む粘着剤を乾燥させる手順を、収容袋の形態となる前に経る必要がない。一般的にバリア層を有する紙は、バリア層によって透湿性が低下するが、裏シート本体がバリア層を有しない場合、透湿性が維持される。この裏シート本体に塗布された粘着剤は、乾燥する前に表シートが貼り合わせられた場合であっても、裏シート本体を介して自然乾燥する。したがって、粘着剤を乾燥させる手順を経ずに、効率よく、一台の装置で一気に収容袋を製造することができる。
【図面の簡単な説明】
【００３２】
【図１】図１は、本発明の第一実施形態に係る収容袋の使用状態が示された概略図である。
【図２】図２は、本発明の第一実施形態に係る収容袋の概略が示され、（ａ）は平面図、（ｂ）は（ａ）におけるＩ−Ｉ断面側面図である。
【図３】図３は、本発明の第一実施形態に係る収容袋の使用状態の概略が示された断面図である。
【図４】図４は、本発明の第二実施形態に係る収容袋の概略が示され、（ａ）は平面図、（ｂ）は（ａ）におけるＩＩ−ＩＩ断面側面図である。
【図５】図５は、本発明の第三実施形態に係る収容袋の概略が示され、（ａ）は平面図、（ｂ）は（ａ）におけるＩＩＩ−ＩＩＩ断面側面図である。
【図６】図６は、本発明の他の実施形態に係る収容袋の概略が示され、（ａ）は第四実施形態における平面図、（ｂ）は第五実施形態における平面図である。
【発明を実施するための形態】
【００３３】
以下、本発明の第一実施形態に係る収容袋を図面に基づいて説明する。図１は、第一実施形態に係る収容袋１０の使用状態が示されている。図２は、収容袋１０の概略が示されている。
【００３４】
図１に示されているとおり、収容袋１０は、被収容対象１としての納品明細書、請求書、案内文、商品サンプルなどが収容され、荷物の外装である被添付対象としての箱２の外面に貼り付けられるものである。したがって、収容袋１０は、被収容対象１が収容される収容部１１と、箱２に貼り付けられる貼り付け部１２とを有している。なお、箱２に対して収容袋１０が貼り付けられる位置は任意であり、箱２の側面の他、上面であってもよい。
【００３５】
図２に示されているとおり、収容袋１０は長方形であり、二枚のシートが貼り合わさった二層構造である。収容袋１０は、長方形の表シート１３と長方形の裏シート本体２４とを有し、裏シート本体２４が、裏シート２５と剥離シート２６とに分割されている。すなわち、表シート１３と裏シート２５とが袋状に形成されたことで、間に収容領域２１を有する収容部１１が形成され、表シート１３と剥離シート２６とで貼り付け部１２が形成されている。貼り付け部１２は、収容部１１の両端に連接されている。収容袋１０の形状は任意であり、正方形などであってもよいが、被収容対象１が、封筒などであることに鑑みれば、封筒が収まる長方形であることが好ましい。
【００３６】
表シート１３は、この表シート１３の中央であって大半の面積を占める収容部構成面部１４と、この収容部構成面部１４の両側に連接した貼り付け部構成面部１５とを有している。収容部構成面部１４と貼り付け部構成面部１５との面積比率は任意であるが、被収容対象１を収容する収容部１１としての機能に鑑みれば、収容部構成面部１４の方が広いことが好ましい。収容部構成面部１４における裏面の四つの端部のうち、長辺の第一端部１６、この第一端部１６と平面方向において対峙した長辺の第二端部１７、および、片方の短辺の第三端部１８は、各端部１６，１７，１８に沿った接着部としての接着層１９を有している。各端部１６，１７，１８における接着層１９は互いに連接され、裏シート２５が接着されている。一方で、収容部構成面部１４における裏面のもう片方の短辺である端部は、接着層１９を有しておらず、裏シート２５との間に開口部２０が形成されている。したがって、接着層１９によって囲われた内側に、収容領域２１が形成され、開口部２０が収容領域２１に通じている。
【００３７】
貼り付け部構成面部１５における裏面は、粘着層２２と摘み代２３とを有している。粘着層２２は、貼り付け部構成面部１５よりも若干狭く、粘着層２２を有していない部分である貼り付け部構成面部１５の端部に、摘み代２３が形成されている。なお、摘み代２３は、収容部１１に近い側、または、収容部１１の反対側である端側にのみ形成されていてもよい。粘着層２２は、剥離シート２６が貼り付けられている。剥離シート２６は、表面に含浸した離型層２７を有している。離型層２７は、粘着層２２よりも若干広く、粘着層２２を覆っている。
【００３８】
裏シート２５は、表シート１３の収容部構成面部１４と同じ形状であり、接着層１９を介して収容部構成面部１４に接着されている。剥離シート２６は、平面方向において裏シート２５の両端に隣接し、表シート１３の貼り付け部構成面部１５と同じ形状であり、粘着層２２を介して貼り付け部構成面部１５に貼り付けられている。したがって、貼り付け部構成面部１５と剥離シート２６とで構成された貼り付け部１２は、収容部１１の開口部２０に隣接している。
【００３９】
表シート１３は、プラスチック製の透明なフィルムであり、例えば、ポリエチレンフィルム、ポリプロピレンフィルムなどである。透明度は任意であるが、収容された被収容対象１が透けて視認できる程度であることが好ましい。裏シート本体２４は、例えば上質紙などの非塗工紙であり、換言すれば、例えばシリコーンなどの離型剤が過度に含浸することを防ぐためのバリア層を有する目止め紙や、グラシン紙などではない。
【００４０】
上記のとおり、収容袋１０が構成されている。次に、収容袋１０の使用方法を説明する。図３は、収容袋１０の使用状態の概略が示されている。
【００４１】
図３に示されているとおり、開口２０から、収容部１１に被収容対象１が収められる。剥離シート２６が、表シート１３から剥がされると、表シート１３において粘着層２２が露出する。この状態で、収容袋１０が、箱２に当てられると、粘着層２２を介して、収容袋１０が箱２に貼り付けられる。貼り付け部１２が開口部２０に隣接しているため、粘着層２２が箱２に貼り付くことで、開口部２０が塞がれる。
【００４２】
なお、収容袋１０は、箱２などの外面に貼り付けられず、例えば、貼り付け部１２が裏側に折られて裏シート２５の裏面に貼り付けられることで、封筒としても用いられる。この場合、被添付対象は、裏シート２５の裏面となる。また、表シート１３が、透明ではない紙であれば、被収容対象１を秘匿することもできる。
【００４３】
次に、収容袋製造方法を説明する。収容袋製造方法は、単一の収容袋製造装置（図示省略）によって実現され、いわゆるワンパス製造で収容袋１０が製造される。
【００４４】
収容袋製造装置は、ロール状の表シート１３である表シートロール、および、ロール状の裏シート本体２４である裏シートロールからシートを送り出す給紙部と、裏シート本体２４の一部に離型層２７を形成するコーティング部と、粘着層２２および接着層１９を形成するコーティング部と、表シート１３と裏シート本体２４とを貼り合わせるラミネート部と、裏シート本体２４を裏シート２５と剥離シート２６とに切断し、収容袋１０を所定の大きさに切断するカット部とを有する。なお、収容袋製造装置は、表シート１３および／または裏シート本体２４に印刷を施すプリント部を有していてもよい。
【００４５】
給紙部にセットされた表シートロールおよび裏シートロールからシートが送り出される。コーティング部では、裏シート本体２４における表面の両端部にのみ離型剤が塗布され、乾燥させられることで、離型層２７が形成される。離型剤は、例えば無溶剤シリコーンなどである。ここで、裏シート本体２４は、バリア層を有していないため、離型剤の含浸を抑制することが困難であるが、紫外線を照射することで、離型剤が過度に含浸する前に瞬時に乾燥する。
【００４６】
コーティング部では、離型層２７上に粘着剤が塗布されて粘着層２２が形成され、同時に、両端部の離型層２７間において、裏シート本体２４の表面における離型層２７、および、収容領域２１を除いた各端部１６，１７，１８（換言すれば、表シート１３の収容部構成面部１４における端部と対面する部分）に粘着剤が塗布されて接着層１９が形成される。粘着剤は、例えば、水性糊などである。粘着層２２および接着層１９を乾燥させる手順を経ずに、ラミネート部において、粘着層２２および接着層１９を介して裏シート本体２４に表シート１３が貼り合わせられる。各端部１６，１７，１８で囲まれた箇所が、単一の収容領域２１となる。ここで、裏シート本体２４はバリア層を有していないため、透湿性が維持され、表シート１３が貼り合わせられた後であっても、粘着層２２が自然乾燥する。すなわち、収容袋製造方法においては、収容袋１０の形態となる前において、粘着層２２を強制的に乾燥させる手順を経ない。
【００４７】
カット部では、裏シート本体２４において粘着層２２と接着層１９との間が切断され、裏シート本体２４が裏シート２５と剥離シート２６とに分割される。最後に、製品に適した所定の大きさに切断され、収容袋１０が完成する。
【００４８】
以上のとおり、収容袋製造方法が実行される。次に、本実施形態の効果を説明する。
【００４９】
上記したとおり、収容袋１０は、長方形の表シート１３と長方形の裏シート本体２４との二枚のシートが貼り合わさった二層構造であり、裏シート本体２４が、裏シート２５と剥離シート２６とに分割されている。表シート１３の収容部構成面部１４と裏シート２５とが、接着層１９を介して接着されて袋状に形成されたことで収容部１１が形成され、表シート１３の貼り付け部構成面部１５と剥離シート２６とで貼り付け部１２が形成されている。したがって、三層構造と比較して、材料費が安価である。
【００５０】
また、裏シート本体２４は、粘着層２２と接着層１９との間が切断されることで、粘着層２２と貼り合わさった側が離型紙となるため、裏シート本体２４は切断される前において元々一枚のシートである。そのため、離型紙を裏シート２５と別に用意する必要がない。したがって、収容袋１０が、表シート１３と裏シート２５とで二層構造で実現し、三層構造と比較して、安価な材料費で収容袋１０を製造することができる。
【００５１】
収容袋１０の裏シート本体２４は、バリア層を有しない上質紙などであり、裏シート本体２４の剥離シート２６は、表面に含浸した無溶剤シリコーンなどによる離型層２７を有している。ここで、裏シート本体２４は、バリア層を有していないため、無溶剤シリコーンの過度の含浸を抑制することが困難であるが、紫外線を照射することで、離型剤が過度に含浸する前に瞬時に乾燥する。したがって、剥離シート２７に、バリア層を有しない安価な紙を用いることができる。また、無溶剤シリコーンが紫外線で瞬時に乾燥するため、無溶剤シリコーンを長時間に渡って乾燥させる手順を経ずに、一台の収容袋製造装置で一気に収容袋１０を製造することができる。
【００５２】
収容袋１０は、水性糊などの粘着層２２および接着層１９を乾燥させる手順を経ずに、粘着層２２および接着層１９を介して裏シート本体２４に表シート１３が貼り合わせられている。裏シート本体２４はバリア層を有していないため、透湿性が維持され、表シート１３が貼り合わせられた後であっても、裏シート本体２４を介して粘着層２２が自然乾燥する。したがって、収容袋１０の形態となる前に粘着剤を乾燥させる手順を経ずに、効率よく、一台の収容袋製造装置で一気に収容袋１０を製造することができる。
【００５３】
また、表シート１３が、透湿性が低いプラスチック製の透明なフィルムなどであっても、裏シート本体２４の透湿性によって、粘着層２２が自然乾燥するため、紙製ではない表シート１３と紙製の裏シート本体２４とから収容袋１０を実現することができる。また、表シート１３が透明であれば、収容部１１に収容された被収容対象１が、表シート１３を通して透けるため、外側から被収容対象１を視認することができる。
【００５４】
収容袋１０では、貼り付け部構成面部１５と剥離シート２６とで構成された貼り付け部１２が、収容部１１の開口部２０に隣接している。したがって、粘着層２２が箱２に貼り付くことで、開口部２０を貼り付け部１２で閉じることができる。
【００５５】
収容袋１０では、裏シート２５が、表シート１３の収容部構成面部１４と同じ形状であるため、収容部１１の全体で、被収容対象１を覆うことができる。したがって、被収容対象１の脱落や紛失を防ぐことができる。
【００５６】
収容袋製造方法は、ロール状に巻き取る手順や、エージングを経ないため、各手順を一台の収容袋製造装置で実現して一気に収容袋１０を製造することができる。また、粘着層２２を構成する粘着剤と、接着層１９を構成する粘着剤とが同一の水性糊であって、同時に塗布されるため、工程を簡略化して収容袋１０を製造することができる。
【００５７】
次に、本発明の第二実施形態ないし第五実施形態に係る収容袋を図面に基づいて説明する。図４は、第二実施形態に係る収容袋２１０の概略が示され、図５は、第三実施形態に係る収容袋３１０の概略が示され、図６は、第四実施形態に係る収容袋４１０および第五実施形態に係る収容袋５１０の概略が示されている。なお、以下では、主に第一実施形態に係る収容袋１０と異なる構成が説明され、同様の構成の説明は適宜省略されている。
【００５８】
図４に示されているとおり、収容袋２１０は、収容袋１０と比較して、端部１８に接着層１９を有していない。収容袋１０は、表シート１３と裏シート２５とが筒状に形成されたことで、間に収容領域２１を有する収容部１１が形成されている。収容部構成面部１４における裏面の四つの端部のうち、長辺の第一端部１６および第二端部１７は、各端部１６，１７に沿った接着層１９を有している。一方で、収容部構成面部１４における裏面の短辺の端部は、接着層１９を有しておらず、裏シート２５との間に二つの開口部２０が形成されている。したがって、接着層１９間の内側に、収容領域２１が形成され、両端の開口部２０が収容領域２１に通じている。収容袋２１０は、収容袋製造装置のコーティング部において、裏シート本体２４の表面における離型層２７上、および、収容領域２１を除いた各端部１６，１７に粘着剤が塗布されて接着層１９が形成される。他の構成は、収容袋１０と同様である。
【００５９】
図５に示されているとおり、収容袋３１０は、収容袋１０と比較して、貼り付け部１２が、収容部１１における片方の端にのみ連接されている。収容袋３１０は、収容袋製造装置のコーティング部において、裏シート本体２４における表面の一端部にのみ離型剤が塗布されて乾燥させられることで、離型層２７が形成される。他の構成は、収容袋１０と同様である。
【００６０】
図６（ａ）に示されているとおり、収容袋４１０は、収容袋１０と比較して、端部１８に接着層１９を有していない。収容袋１０は、表シート１３と裏シート２５とが筒状に形成されたことで、間に二つの収容領域２１を有する収容部１１が形成されている。収容部構成面部１４における裏面の四つの端部のうち、長辺の第一端部１６、第二端部１７および各端部１６，１７の間に形成された中間部２８は接着層１９を有している。中間部２８は、各端部１６，１７に対して平行であって、各端部１６，１７同士のほぼ中間に形成されている。中間部２８と各端部１６，１７との間に、収容領域２１がそれぞれ形成されている。一方で、収容部構成面部１４における裏面の短辺の端部は、接着層１９を有しておらず、裏シート２５との間に複数の開口部２０が形成されている。
【００６１】
収容袋４１０は、収容袋製造装置のコーティング部において、裏シート本体２４の表面における離型層２７、収容領域２１を除いた各端部１６，１７、および、各端部１６，１７同士のほぼ中間であって各端部１６，１７と間を空けて各端部１６，１７に対して平行な中間部２８に、粘着剤が塗布されて接着層１９が形成される。ラミネート部において、粘着層２２および接着層１９を介して裏シート本体２４に表シート１３が貼り合わせられると、第一端部１６と中間部２８とで囲まれた箇所と、第二端部１７と中間部２８とで囲まれた箇所とが、それぞれ収容領域２１となる。他の構成は、収容袋１０と同様である。
【００６２】
図６（ｂ）に示されているとおり、収容袋５１０は、収容袋１０と比較して、端部１８に接着層１９を有していない。収容袋１０は、表シート１３と裏シート２５とが筒状に形成されたことで、間に二つの収容領域２１を有する収容部１１が形成されている。収容部構成面部１４における裏面の四つの端部のうち、長辺の第一端部１６、第二端部１７および各端部１６，１７の間に渡って形成された中間部２８は接着層１９を有している。中間部２８は、各端部１６，１７に対して直角であって、収容部構成面部１４のほぼ中間に形成されている。中間部２８と各端部１６，１７との間に、収容領域２１がそれぞれ形成されている。一方で、収容部構成面部１４における裏面の短辺の端部は、接着層１９を有しておらず、裏シート２５との間に二つの開口部２０が形成されている。
【００６３】
収容袋５１０は、収容袋製造装置のコーティング部において、裏シート本体２４の表面における離型層２７、収容領域２１を除いた各端部１６，１７、および、収容部構成面部１４のほぼ中間において各端部１６，１７間に渡って各端部１６，１７に対して直角な中間部２８に、粘着剤が塗布されて接着層１９が形成される。ラミネート部において、粘着層２２および接着層１９を介して裏シート本体２４に表シート１３が貼り合わせられると、第一端部１６、第二端部１７および中間部２８とで囲まれた二箇所が、それぞれ収容領域２１となる。他の構成は、収容袋１０と同様である。
【００６４】
上記した収容袋２１０，３１０，４１０，５１０も、収容袋１０と同様の効果を奏する。
【００６５】
加えて、収容袋４１０，５１０は、収容部構成面部１４における裏面の端部間に形成された中間層２８の接着層１９を介して、収容部構成面部１４と裏シート１３とが接着されたことで、複数の収容領域２１を有している。したがって、被収容対象１を、複数の収容領域２１ごとに区別して収容することができる。この場合であっても、収容袋４１０，５１０は全体として二層構造であるため、三層構造と比較して、材料費が安価である。また、収容袋製造方法によれば、裏シート本体２４の表面における離型層２７、および、収容領域２１を除いた各端部１６，１７に加えて、中間部２８にも同時に粘着剤が塗布されるため、工程を簡略化して収容袋４１０，５１０を製造することができる。
【００６６】
なお、上記した各実施形態において、粘着剤の塗布は、例えば、ホットメルト型や溶剤型であってもよい。また、接着部は、例えば、液体接着剤による接着の他、ホットメルト接着剤、ヒートシール、超音波などの溶着であってもよい。また、粘着層２２と接着層１９とで、異種の粘着剤を用いてもよい。また、離型層２７上に粘着層２２を形成する手順と、裏シート本体２４の表面における各端部に接着層１９を形成する手順とを、別々に経てもよく、その際の順番はどちらが先でもよい。また、収容袋４１０，５１０における中間部２８の位置は任意であり、例えば、中間ではなく、片方に寄っていてもよいし、斜めに形成されていてもよい。また、中間部２８の数も任意である。中間部２８の配置に応じて収容領域２１の大きさが変化し、中間部２８の数に応じて収容領域２１の数が変化する。
表シート１３には、透明フィルムのほか、紙を用いてもよい。裏シート本体２４には、バリア層を有する目止め紙やフィルムを用いてもよい。ただし、表シート１３と裏シート本体２４との両方に、透湿性の無い素材、例えば、両方にフィルムを用いる場合、粘着剤はホットメルト型を用いるか、溶媒を含む粘着剤を使用する場合は貼り合せる前に乾燥工程を経るのがよい。
【００６７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６８】
１      被収容対象
２      箱（被添付対象）
１０，２１０，３１０，４１０，５１０    収容袋
１１    収容部
１２    貼り付け部
１３    表シート
１４    収容部構成面部
１５    貼り付け部構成面部
１６    第一端部
１７    第二端部
１８    第三端部
１９    接着層（接着部）
２０    開口部
２１    収容領域
２２    粘着層
２３    摘み代
２４    裏シート本体
２５    裏シート
２６    剥離シート
２７    離型層
２８    中間部
【図１】
2020097431.tif 000003
【図２】
2020097431.tif 000004
【図３】
2020097431.tif 000005
【図４】
2020097431.tif 000006
【図５】
2020097431.tif 000007
【図６】
2020097431.tif 000008
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
表シートと、バリア層を有しない裏シート本体との二層で構成され、被収容対象が収容される収容部と、被貼付対象に貼り付けられる貼り付け部とを有する収容袋であって、
前記収容部が、前記表シートと前記裏シート本体から分割された一方である裏シートとで構成され、かつ、前記表シートと前記裏シートとの間に収容領域を有し、
前記裏シート本体から分割された他方であって前記裏シートに隣接した剥離シートが粘着層を介して前記表シートの裏面に貼り付けられたことで、前記貼り付け部が形成された、
ことを特徴とする収容袋。
【請求項２】
前記表シートが、収容部構成面部と、この収容部構成面部に連接した貼り付け部構成面部とを有し、
前記収容部構成面部における裏面の端部に備えられた接着部を介して、前記収容部構成面部と前記裏シートとが接着され、前記収容部構成面部における裏面の他の端部と前記裏シートとの間に開口部が形成され、
前記貼り付け部構成面部における裏面に備えられた前記粘着層を介して、前記貼り付け部構成面部に前記剥離シートが貼り付けられた、
ことを特徴とする請求項１に記載された収容袋。
【請求項３】
前記収容部構成面部における裏面の端部間に備えられた接着部を介して、前記収容部構成面部と前記裏シートとが接着されたことで、複数の前記収容領域を有する、
ことを特徴とする請求項２に記載された収容袋。
【請求項４】
前記表シートが透明である、
ことを特徴とする請求項１から請求項３のいずれか１項に記載された収容袋。
【請求項５】
前記貼り付け部が、前記収容部の開口部に隣接した、
ことを特徴とする請求項１から請求項４のいずれか１項に記載された収容袋。
【請求項６】
バリア層を有しない裏シート本体における表面の一端部または両端部に離型剤を塗布し、紫外線を照射して前記離型剤を乾燥させることで、離型層を形成する手順と、
前記離型層上に粘着剤を塗布して粘着層を形成する手順と、
前記裏シート本体における前記離型層を除いた端部に接着部を形成する手順と、
前記粘着剤を乾燥させる手順を経ずに、前記粘着層および前記接着部を介して前記裏シート本体に表シートを貼り合わせる手順と、
前記裏シート本体において前記粘着層と前記接着部との間を切断する手順と、を経る、
ことを特徴とする収容袋製造方法。
【請求項７】
前記接着部を形成する手順において、前記裏シート本体における前記離型層を除いた端部間に接着部を形成し、
前記粘着層および前記接着部を介して前記裏シート本体に表シートを貼り合わせる手順において、単一または複数の収容領域を形成する、
ことを特徴とする請求項６に記載された収容袋製造方法。
【請求項８】
前記粘着剤を塗布することで前記接着部を形成する、
ことを特徴とする請求項６または請求項７に記載された収容袋製造方法。
【請求項９】
前記粘着層を形成する手順と、前記接着部を形成する手順とを同時に経る、
ことを特徴とする請求項６から請求項８のいずれか１項に記載された収容袋製造方法。